(57)【特許請求の範囲】
【請求項１】
前面が開口した箱状の端子台室の後壁に複数の出力端子を備えた端子台を設けるとともに、前記端子台室の前面に、上部側に設けられた水平方向のヒンジ軸に支持されて該ヒンジ軸より下部が前記端子台室の外方に回動し、前記ヒンジ軸より上部が前記端子台室の内方に回動して前記端子台室の前面開口を開放する端子台カバーを開閉可能に設けた端子台装置において、前記端子台室の上部に横樋を形成するとともに、前記端子台室の側壁に前記横樋の端部に連通する縦樋を形成し、前記端子台カバーを開いたときに、該端子台カバーの上端が前記横樋に当接することによって前記端子台カバーの開方向への回動を規制し、かつ、開状態の端子台カバーの上面の水が前記横樋に流下し、該横樋の水が前記縦樋を介して前記端子台室の下部に流下する状態に形成されていることを特徴とする端子台装置。
【発明の詳細な説明】
【技術分野】
【０００１】
本発明は、端子台装置に関し、詳しくは、屋外で使用される可搬式発電機や配電盤などに設けられている端子台装置に関する。
【背景技術】
【０００２】
例えば、可搬式のエンジン発電機では、発電機やエンジンなどを収容するケーシングの壁面に、前面が開口した箱状の端子台室を形成し、該端子台室の後壁に発電機で発電された電気を出力する複数の出力端子を設け、該複数の出力端子に外部電源ケーブルをそれぞれ接続するようにしている。また、端子台室の前面開口には、発電機の運転中に出力端子に手が触れることを防止するとともに、端子台室内への雨水の浸入を防止するための端子台カバーが開閉可能に設けられている。端子台カバーの開閉方式として、端子台カバーの上端部より僅かに下方を水平方向のヒンジ軸により回動可能に支持した開閉方式を採用したものがある（例えば、特許文献１参照。）。
【先行技術文献】
【特許文献】
【０００３】
【特許文献１】特開２０１１−３０３１９号公報
【発明の概要】
【発明が解決しようとする課題】
【０００４】
特許文献１に記載された端子台カバーは、開いたときのケーシング外方への突出量が小さく、ヒンジ部に雨水がかからず、端子台カバーを閉じたときの雨仕舞も良好であるという利点は有しているものの、端子台室の大きさや端子台カバーの形状、ヒンジ軸の位置などの条件によっては、雨天時に端子台カバーを全開状態にすると、端子台カバー上面の雨水が端子台室内に流下してしまうことがあった。
【０００５】
そこで本発明は、雨天時に端子台カバーを全開状態にしても、端子台カバー上面の雨水が端子台室内に流下することを防止できる端子台装置を提供することを目的としている。
【課題を解決するための手段】
【０００７】
上記目的を達成するため、本発明の端子台装置は、前面が開口した箱状の端子台室の後壁に複数の出力端子を備えた端子台を設けるとともに、前記端子台室の前面に、上部側に設けられた水平方向のヒンジ軸に支持されて該ヒンジ軸より下部が前記端子台室の外方に回動し、前記ヒンジ軸より上部が前記端子台室の内方に回動して前記端子台室の前面開口を開放する端子台カバーを開閉可能に設けた端子台装置において、前記端子台室の上部に水平方向の横樋を設けるとともに、前記端子台室の側壁に前記横樋の端部に連通する縦樋を設け、前記端子台カバーを開いたときに、該端子台カバーの上端が前記横樋に当接することによって前記端子台カバーの開方向への回動が規制され、かつ、端子台カバーの上面の水が前記横樋に流下し、該横樋の水が前記縦樋を介して前記端子台室の下部に流下する状態になることを特徴としている。
【発明の効果】
【０００８】
本発明の端子台装置によれば、雨天時に端子台カバーを全開状態にしたときに、端子台カバー上面の雨水は、端子台カバーの上端部に設けた横樋、あるいは、端子台室後壁上部に設けた横樋に流下し、さらに、横樋の端部から端子台室の側壁に設けた縦樋に流下して端子台室の下部に流下するので、端子台を設けた端子台室の後壁側に雨水が浸入することを防止できる。また、縦樋の上端が端子台カバーの開方向への移動を規制するので、別途に全開位置を規制するための規制部材を設ける必要がなくなる。さらに、端子台カバーの上部と出力端子とが接触することを確実に防止でき、出力端子が雨水で濡れることも防止できる。
【図面の簡単な説明】
【０００９】
【図１】図３のＩ−Ｉ断面図である。
【図２】参考例を示す端子台装置の要部拡大断面図である。
【図３】同じく端子台装置の正面図である。
【図４】同じく端子台装置の要部断面図である。
【図５】図４のＶ−Ｖ断面図である。
【図６】図７のVI−VI断面図である。
【図７】本発明の第１形態例を示す端子台装置の正面図である。
【図８】図９のVIII−VIII断面図である。
【図９】本発明の第２形態例を示す端子台装置の正面図である。
【発明を実施するための形態】
【００１０】
図１乃至図５は、エンジン発電機の端子台装置の参考例を示している。可搬式エンジン発電機１１は、ケーシング１２内に、図示しない発電機と該発電機を駆動するエンジンとを収容したもので、ケーシング１２の発電機側の上部に端子台装置１３が設けられている。
【００１１】
端子台装置１３は、前記ケーシング１２の正面壁１２ａに設置された端子台室１４と、端子台室１４の前面に開閉可能に設けられた端子台カバー１５とを備えている。端子台室１４は、ケーシング１２の正面壁１２ａからケーシング内側に向けて形成される箱状の凹部であって、端子台室１４の後壁１４ａは、上方から下方に向けて漸次外方に傾斜する上下２枚の上向き傾斜板１４ｂ，１４ｃと、上方の上向き傾斜板１４ｂの下端と下方の上向き傾斜板１４ｃとの間に設けられた連結板１４ｄとによって階段状に形成されている。上方の上向き傾斜板１４ｂには、単相用の２個１組の出力端子１６を２組配置した端子台１７が４個のボルト１８にて取り付けられており、下方の上向き傾斜板１４ｃの上部には、三相４線式の４個１組の出力端子１９を配列した端子台２０がボルト２１にて取り付けられ、下部には、２個の単相用のコンセント２２がネジ止めされている。また、端子台室１４の両側壁１４ｅ，１４ｅには、端子台１７の上端より上方位置から単相用のコンセント２２の下方にわたる縦樋２３，２３がそれぞれ設けられ、該縦樋２３の上端より前方開口側には、前記端子台カバー１５を開閉可能に支持するヒンジ部２４が両側壁に対向して設けられている。
【００１２】
端子台カバー１５は、上端に水平方向の横樋２５が設けられ、該横樋２５よりも下方の両端部に前記ヒンジ部２４のヒンジ板２４ａが設けられている。ヒンジ板２４ａは、端子台室１４の両側壁１４ｅ，１４ｅにそれぞれヒンジ軸２６，２６となるボルトによって回動可能に取り付けられている。また、端子台カバー１５の上下寸法は、端子台室１４の開口上下寸法よりも短く形成され、端子台カバー１５の下端と端子台室１４の下端部との間に、前記各出力端子１６，１９やコンセント２２に接続された電源ケーブルを引き出すためのケーブル引出口２７が形成されている。端子台カバー１５は、このケーブル引出口２７から手を入れて端子台カバー１５の下部を手前に引き出して上方に回動させることにより、両ヒンジ部２４を結ぶ水平方向のヒンジ軸２６より下部が前記端子台室１４の外方に回動し、前記ヒンジ軸より上部が前記端子台室１４の内方に回動して前記端子台室１４の前面開口を開放することができる。
【００１３】
このとき、横樋２５が縦樋２３の上端部に当接することにより、別に規制部材を設けることなく、端子台カバー１５の開方向への回動を規制することができるので、端子台カバー１５の上端部が上部の出力端子１６に接触することを防止できる。さらに、雨天時に野外で可搬式エンジン発電機１１を使用する際に、端子台カバー１５を全開状態として端子台カバー１５の上面が上端部方向に下り勾配となり、端子台カバー１５の上面の雨水が端子台室１４の方向に流下しても、流下する雨水を横樋２５で受けて該横樋２５の両端に連通している縦樋２３を介して端子台室１４の下方に流下させることができるので、雨水が端子台室１４内に流下することを防止できる。これにより、出力端子１６，１９やコンセント２２が水に濡れて漏電が発生することを防止できる。
【００１４】
図６及び図７は、本発明の第１形態例を示すもので、前記参考例と同様の構成要素を示すものには、同一の符号をそれぞれ付して、その詳細な説明は省略する。
【００１５】
本形態例のエンジン発電機は、端子台室１４の端子台１７より上部に横樋３０を設けるとともに、両側部に横樋３０に連通する縦樋３１，３１をそれぞれ設けている。端子台カバー３２は、平板状に形成されており、上部両側部にそれぞれ設けたヒンジ板３２ａ，３２ａが端子台室１４の両側壁１４ｅ，１４ｅにそれぞれヒンジ結合されている。横樋３０は、端子台室１４の天井壁１４ｆに固着される取付部３０ａと、該取付部３０ａから下方に、前記上方の上向き傾斜板１４ｂと平行に延出する延出部３０ｂと、該延出部３０ｂの下端の前面側で、両端が縦樋３１の上端部に連続するとともに、全開時の端子台カバー３２の上端が当接する位置に配置された樋部３０ｃとを備えている。
【００１６】
前記参考例と同様に、端子台カバー３２の下部を手前に引き出して端子台カバー３２を開いていくと、端子台カバー３２の上端が横樋３０の前面側上端に当接して開方向への回動が規制されるとともに、端子台カバー３２の上面を上部側に向かって流下する雨水を横樋３０で受けて縦樋３１から端子台室１４の下部に排出することができる。
【００１７】
図８及び図９は、本発明の第２形態例を示すもので、前記参考例及び第１形態例と同様の構成要素を示すものには、同一の符号をそれぞれ付して、その詳細な説明は省略する。
【００１８】
本形態例の横樋３３は、端子台室１４の後壁１４ｂの端子台１７より上部に固着される取付部３３ａと、両端が縦樋３１の上端部に連続し、かつ、前端部が端子台カバー３２の回動を規制する樋部３３ｂとを備えている。本形態例においても、横樋３３によって端子台カバー３２の開方向への回動を規制できるとともに、端子台カバー３２の上面の雨水を横樋３３で受けて縦樋３１から端子台室１４の下部に排出することができる。
【００１９】
尚、上記各形態例では、本発明を可搬式エンジン発電機の端子台装置に適用したもので説明したが、他の発電機や配電盤にも本発明は適用することができる。また、縦樋は、端子台室の一側方にのみ設けるものでも差し支えない。
【符号の説明】
【００２０】
１１…エンジン発電機、１２…ケーシング、１２ａ…正面壁、１３…端子台装置、１４…端子台室、１４ａ…後壁、１４ｂ，１４ｃ…上向き傾斜板、１４ｄ…連結板、１４ｅ…側壁、１４ｆ…天井壁、１５…端子台カバー、１６…出力端子、１７…端子台、１８…ボルト、１９…出力端子、２０…端子台、２１…ボルト、２２…コンセント、２３…縦樋、２４…ヒンジ部、２４ａ…ヒンジ板、２５…横樋、２６…連結ボルト、２７…ケーブル出口、３０…横樋、３０ａ…取付部、３０ｂ…延出部、３０ｃ…樋部、３１…縦樋、３２…端子台カバー、３３…横樋、３３ａ…取付部、３３ｂ…樋部
【図１】
0005905269.tif 000002
【図２】
0005905269.tif 000003
【図３】
0005905269.tif 000004
【図４】
0005905269.tif 000005
【図５】
0005905269.tif 000006
【図６】
0005905269.tif 000007
【図７】
0005905269.tif 000008
【図８】
0005905269.tif 000009
【図９】
0005905269.tif 000010